(57)【要約】【課題】  製作が容易で、対象物品の厚さが薄くても問題なく載置できるポケットサイズ可変トレイを提供する。【解決手段】  複数の物品を各別に保持する縁部を有するポケット部１１が表面部に複数形成された第１の基体１、この第１の基体の背面部に重ね合わされ第１の基体に対し上記縁部の一辺に平行な第１の方向に移動可能な第２の基体２、この第２の基体の背面部に重ね合わされ第１の基体に対し第１の方向に略直交する第２の方向に移動可能な第３の基体３を備え、第１の基体の各ポケット部底部には第１の方向および第２の方向とそれぞれ平行に形成された第１の長穴１１ａおよび第２の長穴１１ｂをそれぞれ設け、第２の基体には第１の長穴を貫通してポケット部内部に各別に突出する複数のピン４を設けると共に第３の基体に立てて設けられ第２の長穴を貫通してポケット部内部に各別に突出するピン５を貫通させるための複数の穴２１を設けてなるものである。【選択図】        図１
2005096788.tif 000002
【特許請求の範囲】
【請求項１】
複数の物品を各別に保持する縁部を有する四辺形状のポケット部が表面部に複数形成された第１の基体、この第１の基体の背面部に設けられ該第１の基体に対し上記縁部の一辺に平行な第１の方向に移動可能な第２の基体、この第２の基体の背面部に設けられ上記第１の基体に対し上記第１の方向に直交する第２の方向に移動可能な第３の基体を備え、上記第１の基体の各ポケット部底部には上記第１の方向および第２の方向とそれぞれ平行に形成された第１の長穴および第２の長穴を設け、上記第２の基体には上記第１の長穴を貫通して上記ポケット部内部に各別に突出する複数の第１のピンを設けると共に上記第３の基体に設けられ上記第２の長穴を貫通して上記ポケット部内部に各別に突出する第２のピンを貫通させるための複数の穴を設けてなることを特徴とするポケットサイズ可変トレイ。
【請求項２】
上記第１の基体に形成されたポケット部は、該第１の基体の表面部にマトリックス状に多数設けられた正方形状の凹部からなることを特徴とする請求項１に記載のポケットサイズ可変トレイ。
【請求項３】
上記請求項１または請求項２に記載のポケットサイズ可変トレイを収容する保持部材、上記第１ないし第３の基体の何れか１つを上記保持部材に固定する固定部材、この保持部材に設けられ上記第１ないし第３の基体の残りの２つのうち何れか一方をＸ軸方向に移動させる第１の移動手段、該保持部材に設けられ上記第１ないし第３の基体の残りの２つのうち何れか他方を上記Ｘ軸に直交するＹ軸方向に移動させる第２の移動手段を備えてなることを特徴とするポケットサイズ可変トレイ。
【請求項４】
上記移動手段として、マイクロメータを用いたことを特徴とする請求項３に記載のポケットサイズ可変トレイ。
【請求項５】
物品の一側を位置決めする第１の凹部が形成された第１の基体、上記第１の凹部に対向する位置に物品の他側を位置決めする第２の凹部が形成され、上記第１の基体に対して上記第１の凹部と第２の凹部により形成されるポケット部のサイズを変更する方向に相対移動可能に配設された第２の基体を備えたことを特徴とするポケットサイズ可変トレイ。
【請求項６】
上記第１の凹部は、上記第１の基体に設けられた矩形の貫通孔の一辺内周面部に形成されたＶ字型の切れ込みからなり、上記第２の凹部は、第１の基体の背面部より上記貫通孔に進入するように形成された突出部における上記第１の凹部に対向する位置に形成されたＶ字型の切れ込みからなり、かつこれらＶ字型の切れ込みの切れ込み角度は何れも直角に形成されてなることを特徴とする請求項５に記載のポケットサイズ可変トレイ。
【請求項７】
第１の基体と、この第１の基体の背面部に重ね合わされた第２の基体とを備えてなり、上記第１の基体には、貫通孔とこの貫通孔の内周面部に形成され該第１の基体の厚さ方向中央部より背面部側に形成された略Ｖ字形の切れ込み部と、この切れ込み部から該第１の基体の厚さ方向表面部側に形成され該切れ込み部よりもサイズの大きい略Ｖ字形に形成された段部とからなる凹部が形成されてなり、上記第２の基体には、上記第１の基体の貫通孔に進入する突出部とこの突出部における上記切れ込み部に対向する位置に該切れ込み部の方向に突出形成され、先端部に上記段部と略同一の高さに階段状に形成された係止段部を有する突設体を形成してなることを特徴とするポケットサイズ可変トレイ。
【発明の詳細な説明】
【技術分野】
【０００１】
この発明は、例えばＩＣチップ、メモリモジュール、回路部品などの電子部品類を規則的に多数載置する場合などに好ましく用いることができるポケットサイズ可変トレイに関するものである。
【背景技術】
【０００２】
従来のポケットサイズが可変式のトレイとしては、ベース板の上に方形の開口を設けた２枚の板を積層し、この両者をそれぞれ直角方向にずらして調整できる構造により、２枚の板の開口部寸法を変えられるようにし、異なるサイズの部品を収納できるようにしたものなどが知られている（例えば特許文献１参照）。
【０００３】
【特許文献１】特開平１０−１１８８５４号公報（第３頁〜第５頁、図１）
【発明の開示】
【発明が解決しようとする課題】
【０００４】
上記のような従来の可変サイズトレイでは、載置する部品の厚さが薄い場合、角穴の内部に入り込んでしまうため、取り出すときに引っかかることがあり、また斜め方向からは物品の有無を確認しづらいなどの問題があった。また、平板毎の組み合わせによるため、相互の角度がシビアとなり高い加工精度が要求されるという課題があった。
【０００５】
この発明は、上記のような従来技術の課題を解消するためになされたものであり、製作が容易で、対象物品の厚さが薄くても問題なく載置できるポケットサイズ可変トレイを提供することを目的とするものである。
【課題を解決するための手段】
【０００６】
この発明に係るポケットサイズ可変トレイでは、複数の物品を各別に保持する縁部を有する四辺形状のポケット部が表面部に複数形成された第１の基体、この第１の基体の背面部に設けられ該第１の基体に対し上記縁部の一辺に平行な第１の方向に移動可能な第２の基体、この第２の基体の背面部に設けられ上記第１の基体に対し上記第１の方向に直交する第２の方向に移動可能な第３の基体を備え、上記第１の基体の各ポケット部底部には上記第１の方向および第２の方向とそれぞれ平行に形成された第１の長穴および第２の長穴を設け、上記第２の基体には上記第１の長穴を貫通して上記ポケット部内部に各別に突出する複数の第１のピンを設けると共に上記第３の基体に設けられ上記第２の長穴を貫通して上記ポケット部内部に各別に突出する第２のピンを貫通させるための複数の穴を設けてなるものである。
【発明の効果】
【０００７】
この発明によれば、製作が容易で、載置する対象物品の厚さが薄くても容易に載置できるポケットサイズ可変トレイを提供することができる。
【発明を実施するための最良の形態】
【０００８】
実施の形態１．
この発明による実施の形態１を図について説明する。なお、各図を通じて同一符合は同一もしくは相当部分を示すものとする。
図１〜図８は実施の形態１になるポケットサイズ可変トレイを説明するものである。図に示すように、板状に形成された第１の基体１の表面部（上面）には、深さ寸法がｄ（図３参照）で正方形状の凹所からなる、物品６を保持するためのポケット部１１がマトリックス状に略規則的に設けられている。このポケット部１１の周囲縁部の内、隣り合う２辺である第１の縁部１１ａと第２の縁部１１ｂによって載置する物品６の２辺が規制され位置決めされる。そして、該ポケット部１１の底部には第１の縁部１１ａに直交する第１の方向（矢印Ｙ方向）に設けられた第１の長穴１ａと、第２の縁部１１ｂに直交する第２の方向（矢印Ｘ方向）に設けられた第２の長穴１ｂが第１の基体１の板厚方向に貫通して設けられている。なお、１２は共締め用のねじ７を挿通するための長穴、１３はポケット部１１を形成する第１の縁部１１ａと第２の縁部１１ｂとのコーナーに形成された逃げ部である。
【０００９】
上記第１の基体１の背面部には図５、図６に示すような板状の第２の基体２が重ね合わされる如く配設されている。第２の基体２には、上記第１の基体１のポケット部１１に設けられた第１の長穴１ａを挿通してポケット部１１内に突出する第１のピン４が該第１の長穴１ａに対応して規則的に立てて設けられている（立設されている）。また、第２の基体２には、後述する第２のピン５を挿通するためのコーナー部がＲ加工された四角形状の貫通孔からなる穴（ばか穴）２１と、共締め用のねじ７を挿通するための穴（ばか穴）２２が第１の基体１に設けられた第２の長穴１ｂと、長穴１２の位置にそれぞれ対応して設けられている。
【００１０】
さらに、上記第２の基体２の下部には図７、図８に示すような板状の第３の基体３が重ね合わされる如く配設されている。第３の基体３には、上記第２の基体２に設けられたばか穴２１と第１の基体１のポケット部１１に設けられた第２の長穴１ｂを貫通して第１の基体１のポケット部１１内に突出する第２のピン５が該第２の長穴１ｂに対応して規則的に設けられている（立設されている）。また、中央部４箇所には共締め用のねじ７に螺合するねじ穴３１が螺設されている。上記のように形成された図１中に示す第１の基体１（即ち、図１に示された第１のピン４、第２のピン５、およびねじ７を全て除いたもの）、図５に示す第２の基体２、および図７に示す第３の基体３を、図４に拡大して示すように順次重ね合わせることにより、ポケットサイズ可変トレイが形成される。
【００１１】
次に、上記のように構成された実施の形態１の動作について説明する。第１の基体１に対して第２の基体２を図４の矢印Ｙで示す第１の方向に移動させることにより、第１のピン４と第１の縁部１１ａとの間隔を調整し、第１の基体１に対して第３の基体３を矢印Ｙに直交する矢印Ｘで示す第２の方向に移動させることにより、第２のピン５と第２の縁部１１ｂとの間隔を調整し、ポケット部１１の大きさを載置する物品６のサイズに適合させ、共締め用の４つのねじ７で基体１、２、３相互を締め付けることにより、３２個のポケット部１１の大きさを物品６のサイズに適合させたトレイが得られる。
【００１２】
なお、上記物品６としてはこの実施の形態１では平面形状が略正方形の半導体チップが用いられているが、物品の種類、形状とも特にこれに限定されるものではなく、例えば他の電子部品類などでもよいし、また、矩形、円形のものなどでも同様に利用することができる。また、ポケット部１１の数は必要に応じて適宜増減できることは言うまでもなく、さらに、ポケット部１１の形状や形成の仕方も上記図示したものに限定されるものではない。
【００１３】
上記のように、この発明による実施の形態１によれば、上記のように形成された３つの基体１、２、３を夫々適宜ずらすことで、トレイのポケットサイズを自由に変更でき、物品６に対応した所望のポケットサイズのトレイを安価で短時間に構成できる。また、第１の基体１に形成された第１および第２の縁部１１ａ、１１ｂ、ならびに第２および第３の基体２、３から突出させた第１、および第２のピン４、５との間でポケットサイズを可変できるように構成したことにより、載置する物品の厚さによらず容易に保持させることができ、保持させた物品の取り出しも容易に行うことができる。さらに、ピン４、５によってサイズを規定するため、基体２、３の加工精度は特別高いものでなくても良い。
【００１４】
実施の形態２．
図９〜図１５はこの発明の実施の形態２によるポケットサイズ可変トレイを説明する図である。この発明の実施の形態２は、図９、図１０に示すように、上記実施の形態１に示したポケットサイズ可変トレイを保持部材８に収納し、最上部の第１の基体１を保持部材８に対して固定部材８１で固定し、第２の基体２を図９のＹ方向にのみ移動可能な第１のプレート９１ａで保持し、詳細図示を省略しているマイクロメータ９１ｂに連結し、第３の基体３を上記Ｙ方向に直交するＸ方向にのみ移動可能な第２のプレート９２ａで保持し、詳細図示を省略しているマイクロメータ９２ｂに連結したものである。なお、９１は上記第１のプレート９１ａおよびマイクロメータ９１ｂによって構成された第１の移動手段、９２は上記第２のプレート９２ａおよびマイクロメータ９２ｂによって構成された第２の移動手段である。
【００１５】
なお、図１１および図１２は、第１のプレート９１ａの形状を詳細に示すもので、第２の基体２は第１のプレート９１ａの内側に形成された略正方形の係止部９１ｃの内側に保持され、マイクロメータ９１ｂは接続部９１ｄに接続される。また、図１４および図１５は、第３の基体３を保持する第２のプレート９２ａの形状を詳細に示すもので、第３の基体３は第２のプレート９２ａの内側に形成された方形の係止部９２ｃの内側に保持され、マイクロメータ９２ｂは接続部９２ｄに接続される。
【００１６】
上記のように構成されたこの発明による実施の形態２によれば、第１の基体１に対し、第２の基体２、および第３の基体３を、互いに直交するマイクロメータ９１ｂ、９２ｂで夫々独立して精密に動かすことにより、ポケットサイズ可変トレイのポケットサイズを容易に微調整することができる。また、マイクロメータ９１ｂ、９２ｂに、図示を省略しているスケールを備えることにより、ポケットサイズの寸法を調整することが容易となる。
【００１７】
なお、上記実施の形態２では、第１の基体１を固定し、第２の基体２、および第３の基体３を互いに直交するＸ軸、およびＹ軸方向にそれぞれ移動させるように構成したが、用いる３つの基体の内、任意の一つを固定し、他の２つを相対的に移動させるように構成しても差し支えなく、その場合でも同様の効果が得られる。また、移動手段９１、９２はマイクロメータに限定されるものではなく、同様の機能を有する他の移動機構で構成しても差し支えない。
【００１８】
実施の形態３．
図１５ないし図１７は、この発明の実施の形態３によるポケットサイズ可変トレイを説明するものである。図に示すように、この実施の形態３では、平板からなる第１の基体４０は、２つの略矩形状の貫通孔４１とこの貫通孔４１の内周面における図の下方部１辺に切れ込み角度ａ１が９０°に形成されたＶ字型の３つの第１の凹部４２が設けられている。そして、この第１の基体４０の背面部には、この第１の基体４０の面方向に相対移動可能に第２の基体（ベース）５０が配設され、この第２の基体５０の上面部には上記貫通孔４１の内部に侵入し、上記第１の基体４０に形成されたＶ字型の第１の凹部４２に対向する位置に切れ込み角度ａ２が９０°に形成されたＶ字型の第２の凹部５２をそれぞれ設けた２つの突出部５１が設けられている。上記対向して配設された第１の凹部４２と第２の凹部５２によって対象物品のポケット部Ｐを６箇所に形成している。なお、６０は第１の基体４０とべ一スとしての第２の基体５０を任意の位置関係で固定するための固定ねじである。
【００１９】
次に上記のように構成された実施の形態３の動作を説明する。この実施の形態３では、第１の基体４０と第２の基体５０を任意の位置関係で固定することにより、切れ込み角度がともに９０°に形成された対向するＶ字型の第１の凹部４２と第２の凹部５２によって構成されるポケット部Ｐのサイズを自由に変更出来ることを特徴としたポケットサイズ可変トレイである。例えば、第１の基体４０を図の上下方向にスライドさせると、ポケット部Ｐは正方形の状態でサイズ変更され、左右にスライドさせると、長方形でサイズ変更され、例えば半導体チップ、モジュールなどの電子部品などのサイズに応じてポケットＰの大きさを任意に調整することができる。なお、ポケット部Ｐの数は必要に応じて任意に増減できることは言うまでもない。また、対向する一対の凹部４２、５２の形成の仕方も上記実施の形態に限定されるものではない。
【００２０】
以上のように、この発明による実施の形態３によれば、第１の基体４０に対し第２の基体５０を相対的に移動させ、固定ねじ６０で固定するという簡単な構造にしたため、トレイのポケットサイズを自由に変更でき、対象とする物品に対応した所望のポケットサイズのトレイを安価で短時間に構成できる。また、第１の基体４０に形成されたＶ字型の第１の凹部４２と第２の基体５０に形成されたＶ字型の第２の凹部５２との間でポケットサイズを任意に可変できるように構成したことにより、載置する物品の厚さによらず容易に保持させることができ、保持させた物品の取り出しも容易に行うことができる。
【００２１】
実施の形態４．
図１８ないし図２０は、この発明の実施の形態４によるポケットサイズ可変トレイを説明するものである。図に示すように、この実施の形態４では、第１の基体４０に設けられた貫通孔４１の一辺に３箇所ずつ形成された凹部４２は、略Ｖ字型の切れ込み部４２ａと、円盤状足付き部品などの物品６の円盤部分を保持するための、該切れ込み部４２ａよりもサイズの大きいＶ字型の段部４２ｂによってそれぞれ形成されている。そして、第１の基体４０には、該第１の基体４０を第２の基体５０に対して矢印Ｙ方向の任意の位置で固定できるように固定ねじ６０を挿通する長穴４４がこの例では４箇所に設けられている。
【００２２】
一方、ベースを構成している第２の基体５０に設けられた、上記第１の基体４０の貫通孔４１内に進入する突出部５１には、第１の基体４０に設けられた略Ｖ字型の切れ込み部４２ａに対応する位置に、該切れ込み部４２ａに入り込むように突出され、突出端部に上記切れ込み部４２ａの段部４２ｂと実質的に同じ高さの段部からなる係止段部５３ａが形成された物品６を保持するための突設体５３がそれぞれ設けられている。なお、６ａは物品６の下部から導出されたリード線、５４は第２の基体５０の両端部に沿って設けられ、第１の基体４０の矢印Ｙ方向と直交する方向への移動を規制するためのガイド部材である。
【００２３】
次に、上記のように構成された実施の形態４の動作について説明する。この実施の形態４では、上記略Ｖ字型の切れ込み部４２ａと段部４２ｂからなる第１の凹部４２と突設体５３によって形成される略三角形のポケット部Ｐにより、円盤状足付き部品などの物品６の円盤側面を３方向から規制し、各規制面に設けた段部４２ｂ、係止段部５３ａにより円盤部裏面を支持する。ポケット部Ｐのサイズは、第１の基体４０をベースである第２の基体５０に対してＹ方向（図の上下方向）にスライドさせることにより、自由に変更させることができる。なお、円盤状足付き部品などの物品６としては、外形が円盤ないしは円筒状で下端面から例えばリード線などを突出させた電子部品などの場合に好ましく用いることができるものであるが、リード線のない場合でも同様に用いることができる。
【００２４】
上記のように、実施の形態４によれば、対象物品が円盤状足付き部品などの場合でも、ポケット部Ｐのサイズを自由に変更でき、対象とする物品に対応した所望のポケットサイズのトレイを安価で短時間に構成できる。また、上記実施の形態３と同様、載置する物品の厚さによらず容易に保持させることができ、保持させた物品の取り出しも容易に行うことができる効果が得られる。
【図面の簡単な説明】
【００２５】
【図１】この発明の実施の形態１によるポケットサイズ可変トレイの概要を示す平面図である。
【図２】図１に示す第１の基体のポケット部の詳細を示す拡大図である。
【図３】図２に示すＩＩＩ−ＩＩＩ線における矢視断面図である。
【図４】この発明の実施の形態１によるポケットサイズ可変トレイの要部側面断面図である。
【図５】この発明の実施の形態１によるポケットサイズ可変トレイに用いる第２の基体を示す平面図である。
【図６】図５に示す第２の基体の側面図である。
【図７】この発明の実施の形態１によるポケットサイズ可変トレイに用いる第３の基体を示す平面図である。
【図８】図７に示す第３の基体の側面図である。
【図９】この発明の実施の形態２によるポケットサイズ可変トレイを模式的に示す平面図である。
【図１０】図９のポケットサイズ可変トレイを模式的に示す側面断面図である。
【図１１】図９のポケットサイズ可変トレイに用いる第１のプレートを示す側面図である。
【図１２】図１１に示す第１のプレートの背面図である。
【図１３】図９のポケットサイズ可変トレイに用いる第２のプレートを示す平面図である。
【図１４】図１３に示す第２のプレートの側面図である。
【図１５】この発明の実施の形態３によるポケットサイズ可変トレイを模式的に示す平面図である。
【図１６】図１５に示すポケットサイズ可変トレイの側面図である。
【図１７】図１５に示すＸＶＩＩ−ＸＶＩＩ線における矢視断面図である。
【図１８】この発明の実施の形態４によるポケットサイズ可変トレイを模式的に示す平面図である。
【図１９】図１８に示すポケットサイズ可変トレイの側面図である。
【図２０】図１８に示すＸＸ−ＸＸ線における矢視断面図である。
【符号の説明】
【００２６】
１  第１の基体、  １ａ、１ｂ  貫通孔、  ２  第２の基体、  ２１  貫通孔、  ３  第３の基体、  ４  第１のピン、  ５  第２のピン、  ６  物品、  ７  ねじ、  ８  保持部材、  ８１  固定部材、  １１、Ｐ  ポケット部、  １１ａ  第１の縁部、  １１ｂ  第２の縁部、  １２  長穴、  ２１、２２  穴（ばか穴）、  ９１  第１の移動手段、  ９１ａ  第１のプレート、  ９１ｂ  マイクロメータ、  ９２  第２の移動手段、  ９２ａ  第２のプレート、  ９２ｂ  マイクロメータ、  ４０  第１の基体、  ４１  貫通孔、  ４２  第１の凹部、  ４２ａ  切れ込み部、  ４２ｂ  段部、  ５０  第２の基体、  ５１  突出部、  ５２  第２の凹部、  ５３  突設体、  ５３ａ  係止段部。
【図１】
2005096788.tif 000003
【図２】
2005096788.tif 000004
【図３】
2005096788.tif 000005
【図４】
2005096788.tif 000006
【図５】
2005096788.tif 000007
【図６】
2005096788.tif 000008
【図７】
2005096788.tif 000009
【図８】
2005096788.tif 000010
【図９】
2005096788.tif 000011
【図１０】
2005096788.tif 000012
【図１１】
2005096788.tif 000013
【図１２】
2005096788.tif 000014
【図１３】
2005096788.tif 000015
【図１４】
2005096788.tif 000016
【図１５】
2005096788.tif 000017
【図１６】
2005096788.tif 000018
【図１７】
2005096788.tif 000019
【図１８】
2005096788.tif 000020
【図１９】
2005096788.tif 000021
【図２０】
2005096788.tif 000022